(57)【要約】【課題】  複数箇所の音声再生で伝送遅延を解消して同時に音声データの再生を行なうことができる音声再生装置を提供する。【解決手段】  ＩＰネットワーク１０２と接続し，音声データ受信部１０３と，音声データ蓄積部１０４と，無線受信部１０５と，現在の状態を判定する状態判定部１０６と，同期信号生成部１０７と，無線送信部１０８と，データ蓄積部１０４に蓄積された音声データを再生する音声データ再生部１０９と，スピーカ１１０とを備え，音声データの再生タイミング通知信号と音声データ再生タイミング生成用同期信号を無線で送出し，音声データの再生タイミング通知信号と音声データ再生タイミング生成用同期信号から生成されるタイミングで音声再生を開始する。【選択図】図１
2007329709.tif 000002
【特許請求の範囲】
【請求項１】
構内に設置される複数の端末により構成されるＩＰネットワークを通して音声データを受信および再生する音声再生装置と，
前記音声データを前記ＩＰネットワークに送出する音声送信装置と，
複数の前記音声再生装置と，
前記音声送信装置に接続する前記ＩＰネットワークと，
より構成される構内放送システムとにおいて，
前記音声データの再生タイミングを示すカウント値を他の音声再生装置に無線で通知する手段と，
前記音声データの再生タイミングを生成するための同期信号を無線で他の音声再生装置に通知する手段と，
前記無線による再生タイミングカウント値および前記同期信号を受信できる手段と，
を備え，前記再生タイミングカウント値の通知信号受信後，前記再生タイミングカウント値に示された同期信号に同期して前記音声データの再生を開始する手段を備えることを特徴とした音声再生装置。
【請求項２】
同期補正信号を無線で出力する手段と，
前記同期補正信号を受信する手段と，
を備え，前記同期補正信号に同期して同期信号の出力タイミングを補正することを特徴とした請求項１記載の音声再生装置。
【請求項３】
音声再生装置ごとに同期信号からの再生遅延時間の設定を可能とした請求項1または２記載の音声再生装置。
【発明の詳細な説明】
【技術分野】
【０００１】
本発明は音声ストリームをネットワークを介して伝送させるシステムにおける，音声ストリームの再生制御に関するものである。
【背景技術】
【０００２】
従来の音声再生装置は，図５に示すように送信側で，伝送する映像データ，音声データに時刻コードを添付し，送信装置５からネットワーク９に送出する。ネットワーク９上に伝送された映像データ，音声データは受信装置１１，１４によって受信され，遅延制御装置１２，１５，ストリーム選択装置１３を介してストリーム「１」，「２」として出力される。これらのストリームに添付された時刻コードと，受信側において生成された時刻コードを時刻コード差読取装置２１へ入力し，遅延指示装置２２で添付された時刻コードと受信側で生成された時刻コードの差が一定となるよう遅延制御装置１２，１５の遅延を制御する。これによりストリーム「１］，「２」を同期させることが出来る（例えば，特許文献１参照）。
【特許文献１】特開２００２−３６９１６３号公報
【発明の開示】
【発明が解決しようとする課題】
【０００３】
しかしながら，従来の音声ストリームをネットワークを介して伝送させるシステムにおいて，複数箇所で同時に音声データの再生をするには，ネットワークに接続されるすべての送信装置，および受信装置で正確な時刻コードを生成，付加する装置が必要となり，システムの装置規模が大きくなるという問題があった。
【０００４】
本発明は，従来の問題を解決するためになされたもので，複数箇所で同時に音声再生することのできる音声再生装置を提供することを目的とする。
【課題を解決するための手段】
【０００５】
本発明の音声再生装置は，構内に設置される複数の端末により構成されるＩＰネットワークを通して音声データを受信及び再生する音声再生装置と，音声データをＩＰネットワークに送出する音声送信装置と，複数の音声再生装置と音声送信装置に接続するＩＰネットワークより構成される構内放送システムにおいて，音声データの再生タイミングを示すカウント値を他の音声再生装置に無線で通知する手段と，音声データの再生タイミングを生成するための同期信号を無線で他の音声再生装置に通知する手段と，前記無線による再生タイミングカウント値および前記同期信号を受信できる手段を備え，前記再生タイミングカウント値の通知信号受信後，再生タイミングカウント値に示された同期信号に同期して音声データの再生を開始する手段を備えることを特徴とした構成を有している。
【０００６】
この構成により，正確な時刻コードを生成，付加する装置がなくても，ＩＰネットワークを介した音声データを複数の音声再生装置で同時に再生をすることが可能となる。
【発明の効果】
【０００７】
本発明は，ＩＰネットワークに接続された近傍に配置される複数の音声再生装置で，音声データの伝送遅延ゆらぎを解消して同時に音声データの再生を行なうことができる音声再生装置を提供することができる。
【発明を実施するための最良の形態】
【０００８】
以下，本発明の実施の形態の音声再生装置について，図面を用いて説明する。
（第１実施形態）
【０００９】
本発明の第１の実施の形態の音声再生装置を図１に示す。図１において，本実施形態の音声再生装置１０１は，ＩＰネットワーク１０２と接続し，音声データを入力する音声データ受信部１０３と，音声データ受信部１０３で受信した音声データを蓄積する音声データ蓄積部１０４と，他の音声再生機器からの無線による信号を受信する無線受信部１０５と，音声データ受信部１０３と無線受信部１０５からのデータ受信状態から現在の状態を判定する状態判定部１０６と，状態判定部１０６の状態により信号を生成する同期信号生成部１０７と，同期信号生成部１０７で生成された信号を無線により出力する無線送信部１０８と，状態判定部１０６の状態によりデータ蓄積部１０４に蓄積された音声データを再生する音声データ再生部１０９と，音声データ再生部で再生された音声データを音声として出力するスピーカ１１０とを有する。
【００１０】
以上のように構成された音声再生装置について，その動作を説明する。音声データの再生を同期させる音声再生装置群のうち１機を同期信号出力機とし，この同期信号出力機から，常時定期的に同期信号を無線で出力する。
【００１１】
音声データ受信部１０３はＩＰネットワーク１０２を経由して音声データを受信し，状態判定部１０６にＩＰネットワーク１０２からの音声データの受信を開始したことを通知する。音声データ蓄積部１０４は音声データ受信部１０３で受信された音声データを蓄積する。状態判定部１０６は無線受信部１０５からの近々の無線によるカウント値通知信号の受信がない場合には，近傍に存在する他の音声再生装置群のうち最初に音声データを受信したものと判断し，近傍の音声再生装置群に音声データの再生タイミングを示すカウント値を通知するカウント値通知信号生成指示を同期信号生成部１０７に出力する。
【００１２】
同期信号生成部１０７は状態判定部１０６からカウント値通知信号生成指示を受信すると，カウント値通知信号からいくつ目の同期信号で音声データの再生を開始するかを示すカウント値通知信号を生成し無線送信部１０８から無線で出力する。このカウント値は音声データ伝送時のパケットの遅延ゆらぎ吸収時間を考慮して決定される。
【００１３】
状態判定部１０６は，無線受信部１０５を通じてカウント値通知信号を受信すると，その後同じく無線受信部１０５を通じて受信する同期信号出力機からの同期信号のカウントを開始する。状態判定部１０６はカウント値通知信号で通知されたカウント値の同期信号を受信するとその同期信号に同期して，音声データ再生部１０９に音声データ再生指示を行い，音声データ再生部１０９は音声データ再生指示を受信すると音声データ蓄積部１０３に蓄積された音声データの再生を開始する。
【００１４】
図２に上記の例におけるデータ受信及び再生タイミングの例を示す。図２では，最初に音声データを受信した機器１がカウント値通知信号をカウント値３００で出力している。
【００１５】
機器１〜ｎの音声データ受信のタイミングはネットワークの接続状況によりそれぞれ異なるが，同期信号のカウント中に音声データが蓄積され，機器１〜ｎはカウント値３００個目の同期信号に同期して音声データ再生の開始を行なうことを示している。
【００１６】
上記の例では，カウント値通知信号受信後，カウント値通知信号の値が示す個数の同期信号を受信した時点で音声データの再生を行なうとしているが，同期信号にサイクリックな時刻カウント値を持たせ，音声データの再生を開始する時刻カウント値を直接通知するとしてもよい。
【００１７】
このような本発明の第１実施形態の音声再生装置によれば，音声データの再生タイミン
グを示すカウント値を他の音声再生装置に無線で通知する手段と，音声データの再生タイミングを生成するための同期信号を無線で他の音声再生装置に通知する手段と，前記無線による再生タイミングカウント値および前記同期信号を受信できる手段を備え，前記再生タイミングカウント値の通知信号受信後，再生タイミングカウント値に示された同期信号に同期して音声データの再生を開始する手段を設けることにより，ＩＰネットワークに接続された近傍に配置される音声再生装置で，音声データの伝送遅延ゆらぎを解消して同時に音声データの再生を行なうことができる。
（第２実施形態）
【００１８】
次に，本発明の第２実施形態の音声再生装置を図３に示す。図３のように構成された構内放送システムについて，その動作を説明する。まず，第１実施形態と同様に音声データ受信部１０３による音声データ受信開始の通知，音声データの蓄積が行なわれる。同期信号再生部１０７は状態判定部１０６の指示でカウント値通知信号を出力する際に機器ＩＤ記憶部１１１に記憶される機器ＩＤをカウント値通知信号のデータとして送信する。
【００１９】
第２実施形態では，第１実施形態と異なり同期信号出力機を固定せず，カウント値通知信号を出力した機器が定期的に同期信号を出力する。
【００２０】
状態判定部１０６は無線受信部１０５より近傍の他の音声再生装置からのカウント値通知信号を受信すると，機器ＩＤを参照する。状態判定部１０６は無線受信部１０５から受信した複数のカウント値通知信号で異なる機器ＩＤを検出したときは同期信号生成部１０７に対し，補正信号生成指示を行なう。同期信号生成部１０７は補正信号生成指示を受信すると同期補正フラグを有効にした同期信号を事前に定められた回数，出力する。
【００２１】
状態判定部１０６は同期信号出力中に同期補正信号を受信した場合，出力中の同期信号を同期補正信号に同期させ，以後定期的に出力する。
【００２２】
図４に上記の例における同期信号タイミングの例を示す。図４の例では無線によるカウント値通知信号が互いに届かない２機の音声再生装置ａ，ｂからのカウント値通知信号<１>，<６>を受信した音声再生装置ｃが，同期補正信号<１１>および引き続き補正信号<１２>を出力する。音声再生装置ａ，ｂは音声再生装置ｃからの同期補正信号を受信すると同期信号<２>，<７>のタイミングでの出力を補正して，同期信号<３>，<８>のタイミングで同期信号を出力する。その後音声再生装置ａ，ｂは定期的に同期信号<４>，<５>，<９>，<１０>を出力し，音声再生装置ａ，ｂ，ｃはカウント値通知信号で指定された同期信号に同期して音声データの再生を行なう。
【００２３】
以上のように本発明の第２実施形態の音声再生装置によれば，同期補正信号を無線で出力する手段と，前記同期補正信号を受信する手段を備え，同期補正信号に同期して同期信号の出力タイミングを補正することを可能としたことにより，無線による同期信号が互いに届かない２機の音声再生装置（ａ，ｂとする）から同期信号を音声再生装置（ｃとする）が受信するといった状況でも各音声再生装置ａ，ｂ，ｃは同期して音声再生が可能となる。
【００２４】
なお，以上の説明では，音声再生の開始をすべての音声再生装置で同期信号に同期して行なうとしているが，音声再生装置に再生遅延時間設定部を設け各音声再生装置に設定された時間経過後に音声再生を行い音声再生により特殊な心理効果をもたせるとした音声再生装置についても同様に実施可能である。
【産業上の利用可能性】
【００２５】
以上のように，本発明にかかる音声再生装置は，ＩＰネットワークに接続された近傍に
配置される複数の音声再生装置で，音声データの伝送遅延ゆらぎを解消して同時に音声データの再生を行なうことができるという効果を有し，音声ストリームをネットワークを介して伝送させるシステムにおける，音声ストリームの再生制御等として有用である。
【図面の簡単な説明】
【００２６】
【図１】本発明の第１実施形態における音声再生装置のブロック図
【図２】本発明の第１実施形態における音声再生装置のデータ受信及び再生タイミングを示す説明図
【図３】本発明の第２実施形態における音声再生装置のブロック図
【図４】本発明の第２実施形態における音声再生装置の同期信号タイミング図
【図５】従来技術における音声再生装置のブロック図
【符号の説明】
【００２７】
５  送信装置
９  ネットワーク
１１  受信装置
１２  遅延制御装置
１３  ストリーム選択装置
１４  受信装置
１５  遅延制御装置
２１  時刻コード発生装置
２２  遅延指示装置
１０１  音声再生装置
１０２  ＩＰネットワーク
１０３  音声データ受信部
１０４  音声データ蓄積部
１０５  無線受信部
１０６  状態判定部
１０７  同期信号生成部
１０８  無線送信部
１０９  音声データ再生部
１１０  スピーカ
１１１  機器ＩＤ記憶部
【図１】
2007329709.tif 000003
【図２】
2007329709.tif 000004
【図３】
2007329709.tif 000005
【図４】
2007329709.tif 000006
【図５】
2007329709.tif 000007